(57)【特許請求の範囲】
【請求項１】
建造物躯体における水平壁面と、第１及び第２垂直壁面との３つの躯体壁面が交わる隅部に固定される固定板と、その固定板に積層一体化された接合シート片とを具備し、躯体壁面上に敷設された防水シートの所要部が、前記接合シート片に接合固定されるようにした建造物隅部の防水シート固定用複合板であって、
前記固定板が、前記水平壁面上の前記第１垂直壁面に対応する位置に配置される第１ベース板と、その第１ベース板に連設され、前記第１垂直壁面に沿って立ち上がり状に設けられた第１立ち上がり片と、前記水平壁面上の前記第２垂直壁面に対応する位置に配置される第２ベース板と、その第２ベース板に連設され、前記第２垂直壁面に沿って立ち上がり状に設けられ、前記第１立ち上がり片に対し切離された第２立ち上がり片とを有し、
前記接合シート片が、前記第１ベース板及び前記第１立ち上がり片の表面に積層される第１接合シート片と、前記第２ベース板及び前記第２立ち上がり片の表面に積層される第２接合シート片とを有し、
前記第１接合シート片の上側部における前記第２接合シート側の縁部が、第２接合シート片側に延設されて重ね代片が設けられ、その重ね代片が前記第２接合シート片に接合されてなることを特徴とする建造物隅部の防水シート固定用複合板。
【請求項２】
前記第１ベース板及び前記第２ベース板が、互いに連設された平面視Ｌ字型の一体成形板からなる請求項１記載の建造物隅部の防水シート固定用複合板。
【発明の詳細な説明】
【０００１】
【発明の属する技術分野】
この発明は、ビルの屋上等に防水シートを敷設するにあたって、３つの躯体面が交わる入隅部や出隅部に固定され、防水シートの所要部を接合固定するための建造物隅部の防水シート固定用複合板に関する。
【０００２】
【従来の技術】
ビルの屋上、プール、貯水槽、蓄熱槽等の防水施工面に、絶縁工法により防水シートを敷設施工するような場合、防水シートの所要部分のみをシート接合板を用いて躯体壁面に固定するようにしている。
【０００３】
このような絶縁工法において、例えば図１３及び図１４に示すように、水平壁面（１）及び２つの垂直壁面（２ａ）（２ｂ）が交わる入隅周辺を防水施工するような場合、防水シート固定用として、入隅部専用の複合板（１０）を用いることがある。図１３ないし図１５に示すように、このシート固定用複合板（１０）は、樹脂被覆鋼板等からなる固定板（１１）と、その固定板（１１）の表面に積層一体化され、防水シート（５）と同じ材質からなる接合シート片（１２）とを具備している。更にこの複合板（１０）における固定板（１１）は、水平壁面（１）に沿って配置されるベース板（１１ａ）（１１ｂ）と、垂直壁面（２ａ）（２ｂ）に沿って配置される立ち上がり片（１２ａ）（１２ｂ）とを具備し、ベース板（１１ａ）（１１ｂ）が開脚釘やコンクリート釘等の固着具（１３）によって水平壁面（１）に固定される。そして、躯体壁面（１）（２ａ）（２ｂ）上に敷設された防水シート（５）の所要部分が、複合板（１０）の接合シート片（１２）に、溶剤溶着や熱融着等により接合一体化されるものである。
【０００４】
従来、上記の防水シート固定用複合板（１０）は、例えば複合基材を屈曲成形することにより得られる。すなわち図１６に示すように、固定板（１１）としてのＬ型の樹脂被覆鋼板の表面に、接合シート片（１２）を積層一体化して複合基材を作製し、その複合基材におけるベース板（１１ａ）（１１ｂ）としての一側フランジ中央を、接合シート片（１２）と共にＶ字状に切り欠く。そして、そのＶ字状切欠部（１４）を中心にして、立ち上がり片（１２ａ）（１２ｂ）としての他側フランジを内側に閉じるように折曲して、上記の複合板（１０）を作製するものである。
【０００５】
【発明が解決しようとする課題】
しかしながら、上記従来の入隅用の防水シート固定用複合板（１０）は、複合基材をＬ型に屈曲成形して得られるものであるため、互いに直交する２つの垂直壁面（２ａ）（２ｂ）にそれぞれ沿わせる２つの立ち上がり片（１２ａ）（１２ｂ）が屈曲部において連設されている。このため図１７に示すように、水平壁面（１）に水勾配（θ）が設けられるような場合において、一方の立ち上がり片（１２ａ）を、対応する一方の垂直壁面（２ａ）に沿わせるよう配置すると、他方の立ち上がり片（１２ｂ）を他方の垂直壁面（２ｂ）に沿わせることができず、例えば他方の立ち上がり片（１２ｂ）が他方の垂直壁面（２ｂ）から浮き上がった状態に配置され、複合板（１０）を入隅部に、収まり具合良く固定できず、防水シート（５）が浮き上がって、美観が低下する等の問題が発生する。
【０００６】
一方、上記の説明は、入隅用の防水シート固定用複合板についての問題点であるが、出隅用防水シート固定用複合板においても、上記と同様な問題が発生する。
【０００７】
すなわち、従来の出隅用防水シート固定用複合板（２０）は、図２０に示すように、固定板（２１）としてのＬ型の樹脂被覆鋼板の表面に、接合シート片（２２）を積層一体化して複合基材を作製し、その複合基材におけるベース板（２１ａ）（２１ｂ）としての一側フランジ中央部に、接合シート片（２２）と共にスリット状に切り込みを入れる。そして、その切込部（２４）を境にして、立ち上がり片（２２ａ）（２２ｂ）としての他側フランジを外側に押し開くように折曲して、図１９に示す出隅用複合板（２０）を得るものである。
【０００８】
この複合板（２０）は、図１８に示すように、ベース板（２１ａ）（２１ｂ）を水平壁面（１）に沿わせて、各立ち上がり片（２２ａ）（２２ｂ）を、対応する各垂直壁面（２ａ）（２ｂ）に沿わせて配置した状態に固定し、躯体壁面（１）（２ａ）（２ｂ）に敷設された防水シートを接合シート片（２２）に接合一体化するものである。
【０００９】
この出隅用複合板（２０）においても、上記と同様、２つの立ち上がり片（２２ａ）（２２ｂ）が連設されているため、図２１に示すように、水平壁面（１）に水勾配（θ）が設けられる場合、一方の立ち上がり片（２２ａ）を一方の垂直壁面（２ａ）に沿わせると、他方の立ち上がり片（２２ｂ）を他方の垂直壁面（２ｂ）に沿わせることができず、上記と同様な問題が発生する。
【００１０】
この発明は、上記従来技術の問題を解消し、３つの躯体壁面が交わる隅部に、収まり具合良く正確に沿わせることができ、防水シートを確実に敷設施工することができる建造物隅部の防水シート固定用複合板を提供することを目的とする。
【００１１】
【課題を解決するための手段】
上記目的を達成するため、この発明は、建造物躯体における水平壁面と、第１及び第２垂直壁面との３つの躯体壁面が交わる隅部に固定される固定板と、その固定板に積層一体化された接合シート片とを具備し、躯体壁面上に敷設された防水シートの所要部が、前記接合シート片に接合固定されるようにした建造物隅部の防水シート固定用複合板であって、前記固定板が、前記水平壁面上の前記第１垂直壁面に対応する位置に配置される第１ベース板と、その第１ベース板に連設され、前記第１垂直壁面に沿って立ち上がり状に設けられた第１立ち上がり片と、前記水平壁面上の前記第２垂直壁面に対応する位置に配置される第２ベース板と、その第２ベース板に連設され、前記第２垂直壁面に沿って立ち上がり状に設けられ、前記第１立ち上がり片に対し切離された第２立ち上がり片とを有し、前記接合シート片が、前記第１ベース板及び前記第１立ち上がり片の表面に積層される第１接合シート片と、前記第２ベース板及び前記第２立ち上がり片の表面に積層される第２接合シート片とを有し、前記第１接合シート片の上側部における前記第２接合シート側の縁部が、第２接合シート片側に延設されて重ね代片が設けられ、その重ね代片が前記第２接合シート片に接合されてなるものを要旨としている。
【００１２】
この発明の防水シート固定用複合板においては、第１及び第２垂直壁面に沿わせる第１及び第２立ち上がり片が切離されるものであるため、水平壁面に水勾配が形成されていようとも、各立ち上がり片を、対応する垂直壁面にそれぞれ確実に沿わせることができ、収まり具合良く入隅に固定することができる。
【００１３】
一方、本発明においては、前記第１ベース板及び前記第２ベース板が、互いに連設された平面視Ｌ字型の一体成形板からなる構成を採用するのが好ましい。
【００１４】
すなわち、第１及び第２ベース板間が離間されていると、両ベース板における対向する端縁に、防水シートの張力による応力が集中する恐れがある。これに対し、上記のように、第１及び第２ベース板を連設する場合には、防水シートの応力等が、第１及び第２ベース板間に集中するのを防止できて、固定板全域に分散させることができる。更に第１及び第２ベース板間、つまり固定板の中心位置を固着具により躯体壁面に固定することができるため、複合板をバランス良く安定状態に隅部に固定することができる。
【００１５】
【発明の実施の形態】
＜第１実施形態＞
図１はこの発明の第１実施形態である入隅用の防水シート固定用複合板（５０）が適用されたビル屋上の入隅周辺を防水シートを取り除いた状態で示す斜視図、図２はその複合板を分解して示す斜視図、図３は入隅周辺の側面断面図である。
【００１６】
これらの図に示すように、本実施形態の複合板（５０）は、平面視Ｌ型の固定板（６０）と、その固定板（６０）の表面に接合一体化された接合シート片（７０）とを備えている。
【００１７】
固定板（６０）は、例えば鋼板等の金属板の少なくとも片面（表面）に、ポリ塩化ビニル樹脂、ポリオレフィン系樹脂等の合成樹脂層が積層された樹脂被覆鋼板等の樹脂被覆金属板によって構成されている。
【００１８】
この固定板（６０）は、第１及び第２ベース板（６１ａ）（６１ｂ）と、第１及び第２立ち上がり片（６２ａ）（６２ｂ）とを備えている。
【００１９】
第１ベース板（６１ａ）は、平場等の水平壁面（１）上におけるパラペット等の第１垂直壁面（２ａ）側の領域に適合配置し得るよう構成されるとともに、第１立ち上がり片（６２ａ）は、第１ベース板（６１ａ）の端縁に連設され、第１垂直壁面（２ａ）に沿って配置し得るよう構成されている。
【００２０】
第２ベース板（６１ｂ）は、水平壁面（１）上におけるパラペット等の第２垂直壁面（２ｂ）側の領域に適合配置し得るよう構成されるとともに、第２立ち上がり片（６２ｂ）は、第２ベース板（６１ｂ）の端縁に連設され、第２垂直壁面（２ｂ）に沿って配置し得るよう構成されている。
【００２１】
固定板（６０）は、図４に示すように平面略Ｌ型形状の板状基材を、その立ち上がり片（６２ａ）（６２ｂ）に相当する外側辺部を、同図破線に沿って曲げ起こすように加工して得られるものであって、第１及び第２ベース板（６１ａ）（６１ｂ）が互いに連設されるとともに、第１及び第２立ち上がり片（６２ａ）（６２ｂ）が切離されている。
【００２２】
図１ないし図３に示すように接合シート片（７０）は、第１ベース板（６１ａ）及び第１立ち上がり片（６２ａ）の表面に、溶剤溶着処理、熱融着処理及び接着剤処理等（以下単に「溶着処理等」と称す）により接合一体化される第１接合シート片（７０ａ）と、第２ベース板（６１ａ）及び第２立ち上がり片（６２ｂ）の表面に、溶着処理等により接合一体化される第２接合シート片（７０ｂ）とを有している。
【００２３】
第１及び第２接合シート片（７０ａ）（７０ｂ）は、ベース板（６１ａ）（６１ｂ）間において重ね合わされた状態で溶着処理等により接合一体化されている。更に第１接合シート片（７０ａ）の上側部における第２接合シート片（７０ｂ）側の端縁は、第２接合シート片（７０ｂ）側に延設されて、重ね代片（７１）が形成されている。
【００２４】
このような構成の複合板（５０）は、以下のようにして、建造物入隅に固定される。すなわち、複合板（５０）における第１及び第２立ち上がり片（６２ａ）（６２ｂ）をそれぞれ第１及び第２垂直壁面（２ａ）（２ｂ）の下縁部に沿わせるとともに、第１及び第２ベース板（６１ａ）（６１ｂ）を水平壁面（１）における第１及び第２垂直壁面（２ａ）（２ｂ）側の縁部に沿わせるように配置する。
【００２５】
更にベース板（６１ａ）（６１ｂ）及び立ち上がり片（６２ａ）（６２ｂ）の所要部分を、開脚釘やコンクリート釘等の固着具（６３）により水平壁面（１）及び垂直壁面（２ａ）（２ｂ）に固定する。
【００２６】
また、複合板（５０）の重ね代片（７１）を、第２接合片（７０ｂ）に重ね合わせて溶剤処理等により接合一体化する。
【００２７】
そして、水平壁面（１）及び垂直壁面（２ａ）（２ｂ）上に敷設した防水シート（５）の所要部分を、上記複合板（５０）の接合シート片（７０）に溶着処理等により接合一体化する。
【００２８】
これによりビル屋上等の建造物入隅におけるシート防水構造が形成される。
【００２９】
以上のように、本実施形態の防水シート固定用複合板（５０）においては、第１及び第２垂直壁面（２ａ）（２ｂ）に沿わせる第１及び第２立ち上がり片（６２ａ）（６２ｂ）を切離させているため、図５に示すように、水平壁面（１）に水勾配（θ）が形成されていようとも、各立ち上がり片（６２ａ）（６２ｂ）を、対応する垂直壁面（２ａ）（２ｂ）にそれぞれ確実に沿わせることができ、収まり具合良く入隅に配置することができる。従って、防水シート（５）を入隅の形状に合わせて無理なく敷設施工でき、良好な美観を得ることができるとともに、効率良く施工することができる。
【００３０】
更に本実施形態の複合板（５０）は、第１及び第２ベース板（６１ａ）（６１ｂ）が連設されているため、防水シート（５）の応力による悪影響を回避することができる。すなわち図１３ないし図１５に示す従来の複合板（１０）においては、ベース板（１１ａ）（１１ｂ）間の対向し合う端縁に、防水シート（５）の張力により発生する応力が集中し、その位置で防水シート（５）等に亀裂等が発生する恐れがある。これに対し、本実施形態の複合板（５０）は、第１及び第２ベース板（６１ａ）（６１ｂ）が連設されているため、防水シート（５）の応力が、両ベース板（６１ａ）（６１ｂ）間に集中することがなく、固定板（６０）全域に分散され、応力集中による悪影響を有効に防止することができる。
【００３１】
また、本実施形態の複合板（５０）は、第１及び第２ベース板（６１ａ）（６１ｂ）が連設されているため、両ベース板（６１ａ）（６１ｂ）の間、換言すれば入隅に近接した複合板（５０）の中間位置を固着具（６３）等により水平壁面（１）に固定することができる。このため、複合板（５０）をバランス良く安定状態に固定でき、より一層収まり具合良く入隅に固定することができ、より一層効率良く防水シート（５）を施工することができる。
【００３２】
なお、上記実施形態においては、接合シート片（７０）として、２枚のシート片（７０ａ）（７０ｂ）からなるものを採用しているが、本発明はそれだけに限られず、例えば接合シート片として、下側領域が互いに連設された１枚のシート部材からなるものを採用しても良く、更に３枚以上のシート部材からなるものを採用しても良い（以下の実施形態においても同じ）。
【００３３】
＜第２実施形態＞
図６（ａ）はこの発明の第２実施形態である出隅用の防水シート固定用複合板（１５０）が適用されたビル屋上の出隅周辺を防水シートを取り除いた状態で示す斜視図、図７はその複合板を分解して示す斜視図である。
【００３４】
これらの図に示すように、本実施形態の複合板（１５０）は、上記と同様、固定板（１６０）と、その固定板表面に接合一体化された接合シート片（１７０）とを備え、固定板（１１０）は、互いに連設された第１及び第２ベース板（１６１ａ）（１６１ｂ）と、互いに切離された第１及び第２立ち上がり片（１６２ａ）（１６２ｂ）とを有している。接合シート片（１７０）は、第１ベース板（１６１ａ）及び第１立ち上がり片（１６２ａ）の表面に接合一体化された第１接合シート片（１７０ａ）と、第２ベース板（１６１ｂ）及び第２立ち上がり片（１６２ｂ）の表面に接合一体化された第２接合シート片（１７０ｂ）とを有している。
【００３５】
固定板（１６０）は、図８に示すように、平面略Ｌ型形状の板状基材を、その立ち上がり片（１６２ａ）（１６２ｂ）に相当する内側辺部を、同図破線の部分で曲げ起こすように加工して得られるものである。
【００３６】
また図６及び図７に示すように、第１接合シート片（１７０ａ）の上側部における第２接合シート片（１７０ｂ）側の端縁は、第２接合シート片（１７０ｂ）側に延設されて、重ね代片（１７１）が形成されている。
【００３７】
その他の構成は、上記第１実施形態と同様であるため、同一又は相当部分に、同一又は相当符号を付して重複説明は省略する。
【００３８】
この複合板（１５０）を用いて出隅に防水シート（５）を施工するには、複合板（１５０）における第１及び第２立ち上がり片（１６２ａ）（１６２ｂ）をそれぞれ第１及び第２垂直壁面（２ａ）（２ｂ）の下縁部に沿わせるとともに、第１及び第２ベース板（１６１ａ）（１６１ｂ）を水平壁面（１）における第１及び第２垂直壁面（２ａ）（２ｂ）側の縁部に沿わせるように配置する。
【００３９】
更にベース板（１６１ａ）（１６１ｂ）及び立ち上がり片（１６２ａ）（１６２ｂ）の所要部分を、開脚釘やコンクリート釘等の固着具により水平壁面（１）及び垂直壁面（２ａ）（２ｂ）に固定する。
【００４０】
また、複合板（１５０）の重ね代片（１７１）を、第２接合片（１７０ｂ）上に重ね合わせて接合一体化する。
【００４１】
そして、水平壁面（１）及び垂直壁面（２ａ）（２ｂ）上に敷設した防水シートの所要部分を、上記複合板（１５０）の接合シート片（１７０）に溶着処理等により接合一体化する。
【００４２】
この複合板（１５０）においても、上記と同様、第１及び第２立ち上がり片（１６２ａ）（１６２ｂ）を切離させているため、図９に示すように、水平壁面（１）に水勾配（θ）が形成されていようとも、各立ち上がり片（１６２ａ）（１６２ｂ）を、対応する垂直壁面（２ａ）（２ｂ）に確実に沿わせることができる。
【００４３】
また、上記と同様に、複合板（１５０）は、第１及び第２ベース板（１６１ａ）（１６１ｂ）が連設されているため、両ベース板（１６１ａ）（１６１ｂ）間にシート応力が集中することがなく、応力集中による悪影響を回避できる。更に両ベース板（１６１ａ）（１６１ｂ）間を水平壁面（１）に固定できるため、複合板（１５０）をバランス良く安定状態に固定することができる。
【００４４】
なお、本実施形態においては、図６（ｂ）に示すように、両ベース板（１６１ａ）（１６１ｂ）間の連設部（１６５）に、接合シート片（１７０）を設けずに、連設部（１６５）を露出させて、複合板（１６０）を形成するようにしても良い。もっとも、この構成の複合板（１６０）を用いて施工した場合であっても、連設部（１６５）は、防水シート、隅部に貼り付けられるパッチシート等により確実に被覆防水されるものである。
【００４５】
＜第３実施形態＞
図１０ないし図１２はこの発明の第３の実施形態である入隅用の防水シート固定用複合板（２５０）を示す図である。これらの図に示すように、この複合板（２５０）は、分離された一対の複合板（２５０ａ）（２５０ｂ）からなるものであり、つまり固定板（２６０）が、第１及び第２固定板（２６０ａ）（２６０ｂ）に分離されている点において、上記第１実施形態と相違するものである。
【００４６】
その他の構成は、上記第１実施形態と同様であるため、同一又は相当部分に同一又は相当符号を付して重複説明は省略する。
【００４７】
この複合板（２５０）においては、一方の複合板（２５０ａ）を水平壁面（１）及び第１垂直壁面（２ａ）間に沿って配置するとともに、他方の複合板（２５０ｂ）を水平壁面（１）及び第２垂直壁面（２ｂ）間に沿って配置して、上記と同様に施工するものである。
【００４８】
この実施形態の複合板（２５０）においても、上記と同様、水平壁面（１）に水勾配（θ）が形成されていようとも、入隅に収まり具合良く固定することができる。
【００４９】
また本実施形態の複合板（２５０）は、そのままの構成で、建造物出隅にも適用することができ、その場合でも、上記と同様の効果を得ることができる。
【００５０】
【発明の効果】
以上のように、本発明の防水シート固定用複合板によれば、固定板とその固定板表面に積層一体化された接合シート片とを具備し、固定板が、水平壁面に沿わせる第１及び第２ベース板と、第１及び第２垂直壁面に沿わせる第１及び第２立ち上がり片とを有するとともに、第１及び第２立ち上がり片が切離されるものであるため、水平壁面に水勾配が形成されていようとも、各立ち上がり片を、対応する垂直壁面にそれぞれ確実に沿わせることができ、収まり具合良く入隅に配置することができる。従って、接合シート片に接合される防水シートを、入隅の形状に合わせて無理なく敷設施工でき、良好な美観を得ることができるとともに、効率良く施工することができるという効果が得られる。
【００５１】
本発明において、第１及び第２ベース板が入隅部において互いに連設される場合には、防水シートの応力等が、第１及び第２ベース板間に集中するのを防止できて、分散させることができるので、応力集中による悪影響を有効に防止することができるとともに、第１及び第２ベース板間、つまり固定板の中心位置を固着具により躯体壁面に固定できるため、バランス良く安定状態に固定でき、より一層収まり具合良く隅部に固定することができて、作業効率を一段と向上させることができるという利点がある。
【図面の簡単な説明】
【図１】この発明の第１実施形態である複合板が適用された入隅周辺を防水シートを取り外した状態で示す斜視図である。
【図２】第１実施形態の複合板を分解して示す斜視図である。
【図３】第１実施形態の複合板が適用された入隅周辺を示す側面断面図である。
【図４】第１実施形態の複合板における固定板を加工前の状態で示す平面図である。
【図５】第１実施形態の複合板における固定板を水勾配付きの入隅に適用した状態の側面断面図である。
【図６】同図（ａ）はこの発明の第２実施形態である複合板が適用された出隅周辺を防水シートを取り除いた状態で示す斜視図、同図（ｂ）は第２実施形態の変形例としての複合板が適用された出隅周辺を防水シートを取り除いた状態で示す斜視図である。
【図７】第２実施形態の複合板を分解して示す斜視図である。
【図８】第２実施形態の複合板における固定板を加工前の状態で示す平面図である。
【図９】第２実施形態の複合板における固定板を水勾配付きの出隅に適用した状態の側面図である。
【図１０】この発明の第３実施形態である複合板が適用された入隅周辺を防水シートを取り除いた状態で示す斜視図である。
【図１１】第３実施形態の複合板を示す斜視図である。
【図１２】第３実施形態の複合板を分解して示す斜視図である。
【図１３】従来の複合板が適用された入隅周辺を防水シートを取り除いた状態で示す斜視図である。
【図１４】従来の入隅周辺を示す側面断面図である。
【図１５】従来の入隅用複合板を示す斜視図である。
【図１６】従来の入隅用複合板を形成するための複合基材を示す斜視図である。
【図１７】従来の複合板における固定板を水勾配付きの入隅に適用した状態の側面断面図である。
【図１８】従来の複合板が適用された出隅周辺を防水シートを取り除いた状態で示す斜視図である。
【図１９】従来の出隅用複合板を示す斜視図である。
【図２０】従来の出隅用複合板を形成するための複合基材を示す斜視図である。
【図２１】従来の複合板における固定板を水勾配付きの出隅に適用した状態の側面図である。
【符号の説明】
１…水平壁
２ａ…第１垂直壁
２ｂ…第２垂直壁
５…防水シート
５０、１５０、２５０…防水シート固定用複合板
６０、１６０、２６０…固定板
２６０ａ…第１固定板
２６０ｂ…第２固定板
６１ａ、１６１ａ、２６１ａ…第１ベース板
６１ｂ、１６１ｂ、２６１ｂ…第２ベース板
６２ａ、１６２ａ、２６２ａ…第１立ち上がり片
６２ｂ、１６２ｂ、２６２ｂ…第２立ち上がり片
７０…接合シート片
７０ａ、１７０ａ、２７０ａ…第１接合シート片
７０ｂ、１７０ｂ、２７０ｂ…第２接合シート片
７１、１７１、２７１…重ね代
【図１】
0003673468.tif 000002
【図２】
0003673468.tif 000003
【図３】
0003673468.tif 000004
【図４】
0003673468.tif 000005
【図５】
0003673468.tif 000006
【図６】
0003673468.tif 000007
【図７】
0003673468.tif 000008
【図８】
0003673468.tif 000009
【図９】
0003673468.tif 000010
【図１０】
0003673468.tif 000011
【図１１】
0003673468.tif 000012
【図１２】
0003673468.tif 000013
【図１３】
0003673468.tif 000014
【図１４】
0003673468.tif 000015
【図１５】
0003673468.tif 000016
【図１６】
0003673468.tif 000017
【図１７】
0003673468.tif 000018
【図１８】
0003673468.tif 000019
【図１９】
0003673468.tif 000020
【図２０】
0003673468.tif 000021
【図２１】
0003673468.tif 000022